(57)【特許請求の範囲】
【請求項１】
送受信可能な受動型非接触情報記憶装置と、
情報処理部と、前記記憶装置に記憶されている情報を送信させるコマンド信号を非接触で送信しかつ前記記憶装置へ非接触で給電する無線送信装置と、を有する固定局情報処理装置と、
情報処理部と、情報出力部と、前記記憶装置から前記コマンド信号に対する応答信号を非接触で受信する無線受信装置と、バッテリと、を有する移動局情報処理装置と、
を含む、非接触情報記憶装置内の情報にアクセスするための情報アクセス・システムであって、
前記固定局情報処理装置が前記記憶装置へ非接触で給電している期間に、前記記憶装置は、前記コマンド信号に対する前記応答信号を前記移動局情報処理装置に非接触で送信するものであることを特徴とする、情報アクセス・システム。
【請求項２】
前記固定局情報処理装置はさらに無線受信装置を有し、
前記移動局情報処理装置はさらに無線送信装置を有し、
前記移動局情報処理装置はその無線送信装置を介して前記固定局情報処理装置にコマンド信号の送信を要求する要求信号を送信し、
前記要求信号に応答して、前記固定局情報処理装置はその無線送信装置を介してコマンド信号の送信と給電のための送信を行うことを特徴とする、請求項１に記載の情報アクセス・システム。
【請求項３】
受動型の複数の非接触情報記憶装置と、少なくとも第１と第２の固定局情報処理装置と、１つ以上の移動局情報処理装置と、前記少なくとも第１と第２の固定局情報処理装置にコマンド送信と給電のためのタイミング信号を供給するタイミング供給装置と、を含む、非接触情報記憶装置内の情報にアクセスするための情報アクセス・システムであって、
前記少なくとも第１と第２の固定局情報処理装置の各々は、情報処理部と、前記非接触情報記憶装置の中の所定の非接触情報記憶装置へ非接触でコマンド信号を送信しかつ非接触で給電する無線送信装置と、を有し、
前記１つ以上の移動局情報処理装置の各々は、情報処理部と、情報出力部と、前記非接触情報記憶装置の中の通信可能な位置にある装置から前記コマンド信号に対する応答信号を非接触で受信するよう構成された無線受信装置と、バッテリと、を有し、
前記タイミング供給装置は、前記少なくとも第１と第２の固定局情報処理装置に所定の周期または間隔でそれぞれタイミング信号を送信し、
前記少なくとも第１と第２の固定局情報処理装置の各々は、対応する前記タイミング信号を受信し、前記受信したタイミング信号に応答して、前記給電と前記コマンドの送信を行い、
前記複数の非接触情報記憶装置の各々は、前記少なくとも第１と第２の固定局情報処理装置のうちの一方から非接触で給電を受けている期間に、前記一方の固定局情報処理装置からの前記コマンド信号に対する前記応答信号を、前記移動局情報処理装置の中の通信可能な位置にある装置に非接触で送信するものであることを特徴とする、情報アクセス・システム。
【請求項４】
固定局情報処理装置と移動局情報処理装置とを含むシステムにおいて、送受信可能な受動型非接触情報記憶装置内の情報にアクセスする方法であって、
前記固定局情報処理装置より、前記記憶装置に記憶されている情報を送信させるコマンド信号を非接触で送信しかつ前記記憶装置へ非接触で給電し、
前記固定局情報処理装置が前記記憶装置へ非接触で給電している期間に、前記記憶装置から前記コマンド信号に対する前記応答信号を、前記移動局情報処理装置によって非接触で受信する、方法。
【請求項５】
少なくとも第１と第２の固定局情報処理装置と、１つ以上の移動局情報処理装置と、前記少なくとも第１と第２の固定局情報処理装置にコマンド送信と給電のタイミング信号を供給するタイミング供給装置と、を含むシステムにおいて、受動型の非接触情報記憶装置内の情報にアクセスする方法であって、
前記タイミング供給装置より、前記少なくとも第１と第２の固定局情報処理装置に所定の周期または間隔でそれぞれタイミング信号を送信し、
前記タイミング信号に応答して、前記少なくとも第１と第２の固定局情報処理装置の各々より、受動型の複数の非接触情報記憶装置へ非接触でコマンド信号を送信しかつ非接触で給電し、
前記複数の非接触情報記憶装置の各々が前記少なくとも第１と第２の固定局情報処理装置のうちの一方から非接触で給電を受けている期間に、前記一方の固定局情報処理装置からの前記コマンド信号に対する応答信号を、前記移動局情報処理装置の中の信号受信可能な位置にある装置によって非接触で受信する、方法。
【発明の詳細な説明】
【技術分野】
【０００１】
本発明は、例えば非接触ＩＣカードおよびＲＦ  ＩＤタグのような情報記憶装置用の非接触の読み取りに関し、特に、バッテリ給電型のモバイル機器に組み込み可能な非接触リーダに関する。
【背景技術】
【０００２】
最近、ＲＦ  ＩＤタグおよび非接触ＩＣカード（スマートカード）が普及しつつある。非接触ＩＣカードは、ＩＳＯ１４４４３標準に準拠した住民基本台帳カード、およびＦｅｌｉｃａ方式の電子乗車券カード、従業員カード、電子マネー等に適用可能である。ＲＦ  ＩＤタグは、ＩＳＯ１５６９３標準に準拠した、商品管理システム、在庫管理システムおよび物流システム等に適用可能である。さらに、各場所にＲＦ  ＩＤタグが設置されロケーション・サービスへの応用も期待される。例えば博物館、美術館等で展示物にＲＦ  ＩＤタグを貼り付け、携帯端末を持ったユーザがその前に来ると、そのＲＦ  ＩＤタグを検知し、その展示物に関する情報を入手するなどの使い方がある。現在、これらのＩＣカードおよびタグは、それぞれ非接触読み取りおよび書き込み装置（リーダ／ライタ）を用いて、それぞれに対して読み取りおよび書き込みが行われる。
【０００３】
いわゆる受動型の非接触ＩＣカードおよびＲＦ  ＩＤタグのような受動型の情報記憶装置または媒体はバッテリを含んでおらず、非接触リーダ／ライタから電磁誘導により電力を受け取る必要がある。従って、そのリーダ／ライタは比較的大きい電流を流すことが要求される。従って、例えばゲートにおいてセンサとして用いられる場合、およびノートブック・パーソナル・コンピュータおよび携帯端末のログインに用いられる場合には、いつどの種類の非接触ＩＣカードまたはＲＦ  ＩＤタグが通過するか分からないので、常に起動状態にする必要があり、リーダ／ライタは大量の電力を消費し、バッテリの使用可能時間が大幅に減少するであろう。
【０００４】
山岡によって平成１２年７月１４日付けで公開された特開２０００−１９４８０３号公報（特許文献１）には、非接触ＩＣカード用リーダ／ライタが記載されている。そのリーダ／ライタに、物体を検知する近接センサ部が設けられている。近接センサ部で非接触ＩＣカードの物体を検知しない時は、制御部よりの指令による送信データは、Ｉ／Ｏ変換部、発振部、変調部、電力増幅部及び送受信コイルを経て送信せず、近接センサ部で非接触ＩＣカードの物体を検知した時のみ、リーダ／ライタより送受信を行う。
【特許文献１】
特開２０００−１９４８０３号公報
【０００５】
藤井によって平成１３年４月１３日付けで公開された特開２００１−１０１３５１号公報（特許文献２）には、リーダ装置が記載されている。リーダ装置は、カード検出部がＩＣカードを検出すると、電源管理部に信号を送り、制御部とＲＦ送受信部の電源を入れ、低消費電力モードから通常のモードへ移行する。一定時間カードとの通信ができない場合は、上位コントローラおよびリーダライタは再び低消費電力モードへ移行する。
【特許文献２】
特開２００１−１０１３５１号公報
【０００６】
２０００年１１月２日付けのＰＣＴ出願の国際公開公報ＷＯ  ００／６５５５１（特許文献３）には、赤外線センサにより活動が検出されたときだけＲＦ  ＩＤ読み取りに電力を供給することが記載されている。
【特許文献３】
国際公開ＷＯ  ００／６５５５１
【０００７】
流石、他によって１９９９年５月１１日付けで公開された特開平１１−１２６２４０号公報（特許文献４）には、待ち受け状態では送信部の電源を間欠的にオン状態にしてコマンドデータを送信するリーダ・ライタ・コントローラが記載されている。
【特許文献４】
特開平１１−１２６２４０号公報
【発明の開示】
【発明が解決しようとする課題】
【０００８】
リーダ／ライタに赤外線センサを組み込むには、余分な回路が必要となり、サイズ、重量およびコストが増える。また、赤外線センサは、ＲＦ  ＩＤタグおよび非接触ＩＣカード以外の無関係な物体を誤って検出し得る。
【０００９】
リーダ／ライタの送信部の電源を間欠的にターンオンするには、検出し損なうのを防止するために、ターンオンの間隔を比較的短くする必要がある。従って、大きい節電効果は期待できない。
【００１０】
複数のユーザの複数の携帯装置が同時にＲＦ  ＩＤタグおよび非接触ＩＣカードにアクセスした場合には、複数の携帯装置からＲＦ  ＩＤタグへのそれぞれのコマンド信号の間に衝突が生じることがあり、複数の携帯装置が同時にＲＦ  ＩＤタグに給電するという無駄も生じる。
【００１１】
発明者たちは、ＲＦ  ＩＤタグからの情報を受信するためのＲＦ  ＩＤタグ・リーダ／ライタを含む携帯装置とは別に、コマンド送信用のＲＦ  ＩＤタグ・リーダ／ライタ装置を設ければ、複数の携帯装置からＲＦ  ＩＤタグへのコマンド信号の衝突を回避でき、携帯装置の電力消費を低減することができると認識した。
【００１２】
本発明の目的は、受動型非接触情報記憶装置への複数のコマンド信号の間の衝突を回避することである。
【００１３】
本発明の別の目的は、携帯装置の非接触読み取り装置の電力消費を低減することである。
【課題を解決するための手段】
【００１４】
本発明の特徴によれば、非接触情報記憶装置内の情報にアクセスするための情報アクセス・システムは、送受信可能な受動型非接触情報記憶装置と、また、情報処理部と、その記憶装置に記憶されている情報を送信させるコマンド信号を非接触で送信しかつその記憶装置へ非接触で給電する無線送信装置と、を有する固定局情報処理装置と、さらに、情報処理部と、情報出力部と、その記憶装置からそのコマンド信号に対する応答信号を非接触で受信する無線受信装置と、バッテリと、を有する移動局情報処理装置と、を含む。その固定局情報処理装置がその記憶装置へ非接触で給電している期間に、その記憶装置は、そのコマンド信号に対するその応答信号をその移動局情報処理装置に非接触で送信する。
【００１５】
本発明の別の特徴によれば、非接触情報記憶装置内の情報にアクセスするための情報アクセス・システムは、受動型の複数の非接触情報記憶装置と、少なくとも第１と第２の固定局情報処理装置と、１つ以上の移動局情報処理装置と、その少なくとも第１と第２の固定局情報処理装置にコマンド送信と給電のタイミング信号を供給するタイミング供給装置と、を含む。その少なくとも第１と第２の固定局情報処理装置の各々は、情報処理部と、その非接触情報記憶装置の中の所定の非接触情報記憶装置へ非接触でコマンド信号を送信しかつ非接触で給電する無線送信装置と、を有する。その１つ以上の移動局情報処理装置の各々は、情報処理部と、情報出力部と、その非接触情報記憶装置の中の信号受信可能な位置にある装置からそのコマンド信号に対する応答信号を非接触で受信するよう構成された無線受信装置と、バッテリと、を有する。そのタイミング供給装置は、その少なくとも第１と第２の固定局情報処理装置に所定の周期または間隔でそれぞれタイミング信号を送信する。その少なくとも第１と第２の固定局情報処理装置の各々は、対応するそのタイミング信号を受信し、その受信したタイミング信号に応答して、その給電とそのコマンドの送信を行う。その複数の非接触情報記憶装置の各々は、その少なくとも第１と第２の固定局情報処理装置のうちの一方から非接触で給電を受けている期間に、その一方の固定局情報処理装置からのそのコマンド信号に対するその応答信号を、その移動局情報処理装置の中の信号受信可能な位置にある装置に非接触で送信する。
【００１６】
また、本発明は、上述の情報処理装置を実現する方法に関する。
【発明の効果】
【００１７】
本発明によれば、受動型非接触情報記憶装置への複数のコマンド信号の間の衝突を回避することができ、受動型非接触情報記憶装置の非接触読み取り装置の電力消費をより少なくすることができる。
【発明を実施するための最良の形態】
【００１８】
本発明の実施形態を、図面を参照して説明する。図面において、同様の構成要素には同じ参照番号が付されている。
【００１９】
図１Ａは、本発明の実施形態による、受動型非接触情報記憶装置としてのＲＦ  ＩＤタグ５００、５０２、・・・５０６に情報読み取りのコマンド信号の送信を行う非接触リーダまたは非接触リーダおよびライタ（Ｒ／Ｗ）（以下、単にリーダ／ライタという）１２を含む固定局情報処理装置１００と、ＲＦ  ＩＤタグ５００〜５０６における情報を読み出す非接触リーダまたは非接触リーダおよびライタ（Ｒ／Ｗ）（以下、単にリーダ／ライタという）２２を含む移動局情報処理装置または携帯情報処理装置２００と、を示している。
【００２０】
固定局情報処理装置１００は、固定局として機能し、さらにホスト情報処理部１１を含んでいる。ホスト情報処理部１１は、送信する情報、および固定局情報処理装置１００におけるその他の情報を処理し、リーダ／ライタ１２との間で情報および制御信号をやりとりする。固定局情報処理装置１００は、任意の電源を用いることができ、例えば商用電力コンセントまたは大容量のバッテリから給電され、そのリーダ／ライタ１２がＲＦ  ＩＤタグに非接触で給電しても問題は生じない。移動局情報処理装置２００は、さらにホスト情報処理部２１と、受信した情報を提示するためのディスプレイおよびスピーカを含む情報提示部２６と、バッテリ２８とを含んでいる。ホスト情報処理部２１は、リーダ／ライタ２２との間で情報および制御信号をやりとりし、受信した情報、および移動局情報処理装置２００におけるその他の情報を処理する。移動局情報処理装置２００は、小さいサイズであることが望ましく、大容量のバッテリを持てず、従ってリーダ／ライタ２２がＲＦ  ＩＤタグに給電し続けることはバッテリ持続時間が短くなるので望ましくない。移動局情報処理装置２００は、携帯電話機またはＰＤＡ（Personal Digital Assistant）等であってもよい。固定局情報処理装置１００はさらに無線ＬＡＮモジュール１４を含んでいてもよい。移動局情報処理装置２００はさらに無線ＬＡＮモジュール２４を含んでいてもよい。
【００２１】
この実施形態におけるＲＦ  ＩＤタグ５００〜５０６等は、外部から非接触で電磁波（ＲＦ信号）の受信または電磁結合または変成器結合によって給電を受け、ワイヤまたはケーブル（有線）による外部給電を受けずバッテリを持たないパッシブ・タイプのものである。各ＲＦ  ＩＤタグは、コイル・アンテナＡＮＴと、ＲＦ変調・復調回路５２と、パッシブ・タイプの電源回路５４と、論理回路５６と、メモリ５８とを具えている。
【００２２】
リーダ／ライタ１２は、ホスト情報処理部１１に結合されておりメモリ（ＭＥＭ）を含むデータ制御部１２０と、データ制御部１２０に結合されていて送信用のデータを生成する送信データ生成部１３０と、送信機部（ＴＸ）１３６と、コイル・アンテナ（ＡＮＴ）と、を含んでいる。送信機部（ＴＸ）１３６は、送信用の変調部１４０と、コイル・アンテナ（ＡＮＴ）に結合された送信電力増幅部１５０とを有する。リーダ／ライタ１２は、受信機部とそれに関連する回路を持つ必要がない。無線ＬＡＮモジュール１４は、ホスト情報処理部１１との間のインタフェースを形成するインタフェース（Ｉ／Ｆ）部１６０と、ベースバンド部１７０と、アンテナ（ＡＮＴ）に結合され無線ＬＡＮ基地局（ＡＰ）との間でＲＦ（無線）信号を送受信する送受信機部（ＴＸ／ＲＸ）１８０と、を含んでいる。
【００２３】
リーダ／ライタ２２は、ホスト情報処理部２１に結合されておりメモリ（ＭＥＭ）を含むデータ制御部２２０と、コイル・アンテナ（ＡＮＴ）と、コイル・アンテナ（ＡＮＴ）に結合された受信機部（ＲＸ）２３８と、受信データを解読して解読データをデータ制御部２２０に供給する受信データ復号部２３２と、を含んでいる。受信機部２３８は、検波部２５２と、受信用の復調部２４２とを有する。リーダ／ライタ２２は、送信機部とそれに関連する回路を持つ必要がない。無線ＬＡＮモジュール２４は、ホスト情報処理部２１との間のインタフェースを形成するインタフェース（Ｉ／Ｆ）部２６０と、ベースバンド部２７０と、アンテナ（ＡＮＴ）に結合され無線ＬＡＮ基地局（ＡＰ）との間でＲＦ（無線）信号を送受信する送受信機部（ＴＸ／ＲＸ）２８０と、を含んでいる。
【００２４】
図１Ｂは、本発明の別の実施形態による、リーダ／ライタ１２を含む固定局情報処理装置１００と、リーダおよびライタ２３を含む移動局情報処理装置２００と、を示している。リーダ／ライタ２３は、データ制御部２２０と、データ制御部２２０に結合されていて送信用のデータを生成する送信データ生成部２３０と、コイル・アンテナ（ＡＮＴ）と、コイル・アンテナ（ＡＮＴ）に結合された送信機部（ＴＸ）２３６と、受信機部（ＲＸ）２３８と、受信データ解読部２３２と、を含んでいる。送信機部２３６は、送信用の変調部２４０と、コイル・アンテナ（ＡＮＴ）に結合された送信電力増幅部２５０とを有する。リーダ／ライタ１２は、リーダ／ライタ２２と同様の、受信機部と、受信データ解読部と、を含んでいてもよい（図示せず）。
【００２５】
リーダ／ライタ１２、２２および２３、およびＲＦ  ＩＤタグ５００〜５０６の送受信周波数は、好ましくは数メートルの通信距離を有する無線ＵＨＦ帯であり、無線ＨＦ帯のようなその他の無線周波数帯域であってもよい。
【００２６】
図１Ａを参照して基本的動作を説明すると、固定局情報処理装置１００のリーダ／ライタ１２がＲＦ  ＩＤタグ５００〜５０６に対して無線給電を行い情報の読み出し要求を表すコマンド信号を送信すると、所定の位置に配置されたＲＦ  ＩＤタグ５００〜５０６は、その無線給電を受けてそのコマンド信号を受信し、そのコマンド信号の受信に応答してその無線給電を受けてＲＦ  ＩＤタグ５００〜５０６に格納されたＩＤおよび情報を読み出してそのＩＤおよび情報でＲＦ変調されたキャリア信号からなる応答信号を送信する。応答信号に含まれているＩＤは、ＲＦ  ＩＤタグのＩＤである。応答信号に含まれている情報は、音声、テキストおよび／または画像情報からなるコンテンツ情報である。
【００２７】
リーダ／ライタ１２は、ＲＦ  ＩＤタグ５００〜５０６が信号を受信し応答信号を送信する間、変調ＲＦキャリア信号および無変調ＲＦキャリア信号を送信して、ＲＦ  ＩＤタグ５００〜５０６に信号の受信および応答送信のための電力を供給する。ユーザによって携帯される移動局情報処理装置２００がＲＦ  ＩＤタグ５００〜５０６からのＲＦ信号の受信範囲内、例えばＲＦ  ＩＤタグ５００〜５０６の数メートルの範囲内に位置するとき、移動局情報処理装置２００のリーダ／ライタ２２は、受信待ち状態にあり、ＲＦ  ＩＤタグ５００〜５０６から応答信号を受信する。ホスト情報処理部２１は、応答信号中の受信したＩＤに基づいてその受信したコンテンツ情報を情報提示部２６に供給して提示する。情報提示部２６は情報出力部であってもよく、ホスト情報処理部２１は、その情報出力部を介して別の装置にコンテンツ情報を供給してもよい。
【００２８】
図２Ａおよび２Ｂは、固定局情報処理装置１００と、無線通信エリア内の互いに離れた複数の位置に配置されたＲＦ  ＩＤタグ５００、５０２、・・・５０６と、ユーザが携帯する移動局情報処理装置２００、２０２、・・・２０６と、を示している。ユーザがエリア内を移動するとともに、移動局装置２００〜２０６がエリア内を移動する。移動局装置２０２・・・２０６の各々は、移動局装置２００と同様の構成を有する。
【００２９】
図３Ａおよび３Ｂは、それぞれ図２Ａおよび２Ｂにおける固定局情報処理装置１００（以下、固定局装置ともいう）、ＲＦ  ＩＤタグ５００、５０２、・・・５０６、および移動局情報処理装置２００、２０２・・・２０６（以下、移動局装置ともいう）の間の信号の送受信のシーケンスを示している。
【００３０】
図１Ａ、２Ａおよび３Ａを参照すると、固定局装置１００は、リーダ／ライタ１２を用いて、周期Ｐｃで、例えば１秒の周期で、所定の期間に、例えば１０ｍｓの期間に、給電用の送信電力を有し情報の読み取り要求を表すコマンドを含むコマンド信号６０２、６０４・・・をエリア内のＲＦ  ＩＤタグ５００〜５０６に送信する。ＲＦ信号６０２の受信に応答して、所定のエリアに配置されたＲＦ  ＩＤタグ５００〜５０６の各々は、内部で乱数を発生して、複数のタイムスロットＴＳ１〜ＴＳｎの中のその乱数に基づいて決定されたタイムスロットＴＳｉ（１≦ｉ≦ｎ）で、そのＲＦ  ＩＤタグのＩＤおよび要求された情報を含む応答信号７０２、７０４、・・・７０８を送信する。１つのタイムスロットＴＳｉの幅は、例えば１０ｍｓである。同様に、次のＲＦ信号６０４の受信に応答して、ＲＦ  ＩＤタグ５００〜５０６の各々は、乱数に基づいて決定されたタイムスロットＴＳｉで、そのＲＦ  ＩＤタグのＩＤおよび要求された情報を含む応答信号７１２、７１４、・・・７１８を送信する。移動局装置２００〜２０６は、応答信号５００〜５０６を受信し、ユーザによるＩＤの選択に従ってそれに対応するコンテンツ情報を提示部２６に提示する。
【００３１】
従って、ＲＦコマンド信号６０２、６０４・・・は、互いに衝突することなく周期的にＲＦ ＩＤタグ５００〜５０６に送信される。複数のＲＦ ＩＤタグがそれぞれの応答信号を同じタイムスロットで送信して衝突することがあるが、コマンド信号６０２、６０３・・・は繰り返し送信され、従ってそれぞれの応答信号は乱数に基づいて決定される他のタイムスロットで或る長さの時間で衝突なく送信できる。移動局装置２００〜２０６のリーダ／ライタ２２は、周期的な信号の送信を行わないので、受信のための最小限の電力を必要とするに過ぎない。受信に必要な電力は送信に必要な電力より小さい。従ってバッテリ２８の持続時間が長くなる。
【００３２】
図１Ｂ、２Ｂおよび３Ｂを参照すると、同様に、固定局装置１００は、周期的にコマンド信号６０２、６０４・・・を送信する。ＲＦ信号６０２の受信に応答して、ＲＦ ＩＤタグ５００〜５０６の各々は、複数のタイムスロットＴＳ１〜ｎの中の乱数に基づいて決定されたタイムスロットｉ（１≦ｉ≦ｎ）で、そのＲＦ ＩＤタグのＩＤまたはＩＤおよび要求された情報を含む応答信号７０２、７０４、・・・７０８を送信する。移動局装置２００〜２０６（図１Ｂ）の各々は、応答信号７０２〜７０８を受信する。
【００３３】
移動局装置２００は、応答用のタイムスロットＴＳｎの後、給電用の送信電力を有し、かつユーザによって選択されたＩＤに従って移動局装置２００の発信元ＩＤとＲＦ  ＩＤタグ５００の宛先ＩＤを含む追加情報の読み取りを要求する要求信号７２２を、ＲＦ  ＩＤタグ５００に送信する。その追加情報は、音声、テキストおよび／または画像情報からなるコンテンツ情報である。要求信号７２２は、移動局装置２００の情報処理部２１内で乱数を発生しその乱数に基づいて決定されたタイミングで送信されてもよい。リーダ／ライタ２３は、ＲＦ  ＩＤタグ５００が信号を受信し応答信号を送信する間、変調ＲＦキャリア信号および無変調ＲＦキャリア信号を送信して、ＲＦ  ＩＤタグ５００に信号の受信および応答送信のための電力を供給する。ＲＦ  ＩＤタグ５００は、要求信号７２２に応答して、そのＲＦ  ＩＤタグのＩＤおよび要求された追加情報を含む応答信号７２４を送信する。移動局装置２００は、応答信号７２４を受信し、その選択されたＩＤに従って受信した追加情報を提示部２６に提示する。
【００３４】
さらに、同様に、次のＲＦ信号６０４の受信に応答して、ＲＦ  ＩＤタグ５００〜５０６の各々は、乱数に基づいて決定されたタイムスロットＴＳｉで、そのＲＦ  ＩＤタグのＩＤおよび要求された情報を含む応答信号７１２、７１４、・・・７１８を送信する。
【００３５】
この実施形態では、移動局装置２００〜２０６のリーダ／ライタ２３は、ユーザの選択に従って要求を表す信号を一時的に送信するための電力と、受信のための最小限の電力とを必要とするに過ぎない。
【００３６】
図４は、無線通信エリアＡおよびＢにおいてＲＦ  ＩＤタグ５００、５０２、・・・５０６、５２０、５２２、・・・５２６に対して配置された固定局情報処理装置１００および１０２、および有線ＬＡＮ４０を介して固定局情報処理装置１００および１０２に結合された管理サーバ４００を示している。固定局装置１００は、無線通信エリアＡにおけるＲＦ  ＩＤタグ５００〜５０６および５２０をカバーする。固定局装置１０２は、無線通信エリアＡと一部重複する無線通信エリアＢにおけるＲＦ  ＩＤタグ５０６、５２０〜５２６をカバーする。ユーザが移動するとともに、移動局装置２００〜２２６がエリアＡおよびＢ内およびエリアＡとＢの間を移動する。
【００３７】
図５は、図４における複数の固定局情報処理装置１００および１０２、ＲＦ  ＩＤタグ５００〜５２６、および移動局情報処理装置２００、２０２・・・２０６、２２０、２２２、・・・２２６の間の信号の送受信のシーケンスを示している。固定局装置１０２は固定局装置１００と同様の構成を有する。この場合、移動局装置２００〜２２６の各々は図１Ａに示された構成を有する。
【００３８】
図１Ａ、４および５を参照すると、管理サーバ４００は、ＬＡＮ４０を介して複数の固定局装置１００および１０２に交互にまたは循環的に所定の周期Ｐｃでタイミング信号４０２、４０４、４０６、・・・を送信する。固定局装置１００および１０２は、対応するタイミング信号４０２、４０４、４０６、・・・の受信に応答して、対応するＲＦコマンド信号６０２、６０４、６０６・・・をエリアＡおよびＢ内のＲＦ  ＩＤタグに送信する。
【００３９】
ＲＦコマンド信号６０２の受信に応答して、ＲＦ  ＩＤタグ５００〜５０６および５２０は、乱数に基づいて決定されたタイムスロットＴＳｉで、そのＲＦ  ＩＤタグのＩＤおよび要求された情報を含む応答信号７０２〜７１０をそれぞれ送信する。移動局装置２００〜２０６および２２０の各々は、応答信号７０２〜７１０を受信し、ユーザによって選択されたＩＤに従って所要の情報を情報提示部２６に提示する。
【００４０】
同様に、ＲＦコマンド信号６０４の受信に応答して、ＲＦ  ＩＤタグ５２０、および５２２〜５２６は、乱数に基づいて決定されたタイムスロットＴＳｉで、そのＲＦ  ＩＤタグのＩＤおよび要求された情報を含む応答信号７１２〜７１８をそれぞれ送信する。移動局装置２０６および２２０〜２２６の各々は、応答信号７１２〜７１８を受信し、ユーザによって選択されたＩＤに従って所要の情報を情報提示部２６に提示する。
【００４１】
この実施形態によれば、広いエリアまたは複数の無線通信エリアに配置されたＲＦ  ＩＤタグを複数の固定局装置１００および１０２でカバーすることができる。
【００４２】
図６は、図２Ｂの変形実施形態を示しており、固定局情報処理装置１００と、エリア内の互いに離れた複数の位置に配置されたＲＦ  ＩＤタグ５００〜５０６と、ユーザが携帯する移動局情報処理装置２００〜２０６と、を示している。
【００４３】
図７は、図６における固定局情報処理装置１００、ＲＦ  ＩＤタグ５００〜５０６、および移動局情報処理装置２００〜２０６の間の信号の送受信のシーケンスを示している。この場合、移動局装置２００〜２０６の各々は図１Ａに示された構成を有する。
【００４４】
図６および７を参照すると、固定局装置１００は、周期Ｐｃで給電用の送信電力を有し情報の読み取り要求を表すコマンドを含むＲＦコマンド信号６０２、６０４・・・を送信する。ＲＦ信号６０２の受信に応答して、ＲＦ  ＩＤタグ５００〜５０６の各々は、複数のタイムスロットＴＳ１〜ＴＳｎの中の乱数に基づいて決定されたタイムスロットＴＳｉ（１≦ｉ≦ｎ）で、そのＲＦ  ＩＤタグのＩＤまたはＩＤおよび要求された情報を含む応答信号７０２〜７０８を送信する。移動局装置２００〜２０６の各々は、応答信号７０２〜７０８を受信する。
【００４５】
移動局装置２００は、ユーザによるＩＤの選択に応答して、無線ＬＡＮモジュール２４を用いて無線ＬＡＮ基地局（ＡＰ）３００を介して、その選択されたＩＤに従ってその移動局装置２００の発信元ＩＤとＲＦ ＩＤタグ５００のＩＤを含む追加情報の読み取りを要求する要求信号７２４を固定局装置１００に送信する。固定局装置１００は、無線ＬＡＮモジュール１４を用いてその要求信号７２４を受信する。要求信号７２４は、移動局装置２００の情報処理部２１内で乱数を発生しその乱数に基づいて決定されたタイミングで送信されてもよい。固定局装置１００は、その要求信号７２４に応答して、リーダ／ライタ１２を用いて、給電用の送信電力を有し追加情報の読み取り要求を表す要求信号７２６をＲＦ ＩＤタグ５００に送信する。ＲＦ ＩＤタグ５００は、要求信号７２６に応答して、そのＲＦ ＩＤタグのＩＤおよび要求された追加情報を含む応答信号７３２を送信する。移動局装置２００は、応答信号７３２を受信し、その選択されたＩＤに従って受信した追加情報を提示部２６に提示する。その後、同様に、周期Ｐｃで、固定局装置１００、ＲＦ ＩＤタグ５００〜５０６、および移動局装置２００〜２０６の間で同様の信号が送受信される。
【００４６】
この実施形態によれば、移動局装置２００〜２０６のリーダ／ライタ２２は送信のための構成を必要とせず、ＲＦ  ＩＤタグの追加情報の読み出しを要求することができる。
【００４７】
以上の説明では、本発明をＲＦ  ＩＤタグに関連して説明したが、これに限定されることなく、本発明が非接触ＩＣカードにも適用できることは、この分野の専門家には理解されるであろう。
【００４８】
以上説明した実施形態は典型例として挙げたに過ぎず、その各実施形態の構成要素を組み合わせること、その変形およびバリエーションは当業者にとって明らかであり、当業者であれば本発明の原理および請求の範囲に記載した発明の範囲を逸脱することなく上述の実施形態の種々の変形を行えることは明らかである。
【００４９】
以上の実施例を含む実施形態に関して、さらに以下の付記を開示する。
（付記１）  送受信可能な受動型非接触情報記憶装置と、
情報処理部と、前記記憶装置に記憶されている情報を送信させるコマンド信号を非接触で送信しかつ前記記憶装置へ非接触で給電する無線送信装置と、を有する固定局情報処理装置と、
情報処理部と、情報出力部と、前記記憶装置から前記コマンド信号に対する応答信号を非接触で受信する無線受信装置と、バッテリと、を有する移動局情報処理装置と、
を含む、非接触情報記憶装置内の情報にアクセスするための情報アクセス・システムであって、
前記固定局情報処理装置が前記記憶装置へ非接触で給電している期間に、前記記憶装置は、前記コマンド信号に対する前記応答信号を前記移動局情報処理装置に非接触で送信するものであることを特徴とする、情報アクセス・システム。
（付記２）  前記情報記憶装置はＲＦ  ＩＤタグまたは非接触ＩＣカードであることを特徴とする、付記１に記載の情報アクセス・システム。
（付記３）  前記固定局情報処理装置はさらに無線受信装置を有し、
前記移動局情報処理装置はさらに無線送信装置を有し、
前記移動局情報処理装置はその無線送信機を介して前記固定局情報処理装置にコマンド信号の送信の要求信号を送信し、
前記要求信号に応答して、前記固定局情報処理装置はその無線送信機を介して前記無線送信装置にコマンド信号の送信と給電のための送信をさせることを特徴とすることを特徴とする、付記１に記載の情報アクセス・システム。
（付記４）  受動型の複数の非接触情報記憶装置と、少なくとも第１と第２の固定局情報処理装置と、１つ以上の移動局情報処理装置と、前記少なくとも第１と第２の固定局情報処理装置にコマンド送信と給電のタイミング信号を供給するタイミング供給装置と、を含む、非接触情報記憶装置内の情報にアクセスするための情報アクセス・システムであって、
前記少なくとも第１と第２の固定局情報処理装置の各々は、情報処理部と、前記非接触情報記憶装置の中の所定の非接触情報記憶装置へ非接触でコマンド信号を送信しかつ非接触で給電する無線送信装置と、を有し、
前記１つ以上の移動局情報処理装置の各々は、情報処理部と、情報出力部と、前記非接触情報記憶装置の中の信号受信可能な位置にある装置から前記コマンド信号に対する応答信号を非接触で受信するよう構成された無線受信装置と、バッテリと、を有し、
前記タイミング供給装置は、前記少なくとも第１と第２の固定局情報処理装置に所定の周期または間隔でそれぞれタイミング信号を送信し、
前記少なくとも第１と第２の固定局情報処理装置の各々は、対応する前記タイミング信号を受信し、前記受信したタイミング信号に応答して、前記コマンドの送信と前記給電を行い、
前記複数の非接触情報記憶装置の各々は、前記少なくとも第１と第２の固定局情報処理装置のうちの一方から非接触で給電を受けている期間に、前記一方の固定局情報処理装置からの前記コマンド信号に対する前記応答信号を、前記移動局情報処理装置の中の信号受信可能な位置にある装置に非接触で送信するものであることを特徴とする、情報アクセス・システム。
（付記５）  別の情報処理装置からのコマンド信号の受信に応答して送信された受動型の非接触情報記憶装置からの応答信号を、非接触で受信することができる携帯情報処理装置であって、
情報処理部と、情報提示部と、無線受信装置と、バッテリと、を具え、
前記無線受信装置が起動状態にあり、かつ、前記別の情報処理装置が前記コマンド信号の後で前記記憶装置へ非接触で給電している期間に、前記無線受信装置は、前記記憶装置から前記応答信号を無線で受信し、
前記情報処理部は、前記応答に含まれる識別情報に基づいて、前記応答に含まれるコンテンツ情報を前記提示部に提示するものであることを特徴とする、携帯情報処理装置。
（付記６）  固定局情報処理装置と移動局情報処理装置とを含むシステムにおいて、送受信可能な受動型非接触情報記憶装置内の情報にアクセスする方法であって、
前記固定局情報処理装置より、前記記憶装置に記憶されている情報を送信させるコマンド信号を非接触で送信しかつ前記記憶装置へ非接触で給電し、
前記固定局情報処理装置が前記記憶装置へ非接触で給電している期間に、前記記憶装置から前記コマンド信号に対する前記応答信号を、前記移動局情報処理装置によって非接触で受信する、方法。
（付記７）少なくとも第１と第２の固定局情報処理装置と、１つ以上の移動局情報処理装置と、前記少なくとも第１と第２の固定局情報処理装置にコマンド送信と給電のタイミング信号を供給するタイミング供給装置と、を含むシステムにおいて、受動型の非接触情報記憶装置内の情報にアクセスする方法であって、
前記タイミング供給装置より、前記少なくとも第１と第２の固定局情報処理装置に所定の周期または間隔でそれぞれタイミング信号を送信し、
前記タイミング信号に応答して、前記少なくとも第１と第２の固定局情報処理装置の各々より、受動型の複数の非接触情報記憶装置へ非接触でコマンド信号を送信しかつ非接触で給電し、
前記複数の非接触情報記憶装置の各々が前記少なくとも第１と第２の固定局情報処理装置のうちの一方から非接触で給電を受けている期間に、前記一方の固定局情報処理装置からの前記コマンド信号に対する前記応答信号を、前記移動局情報処理装置の中の信号受信可能な位置にある装置によって非接触で受信する、方法。
【図面の簡単な説明】
【００５０】
【図１Ａ】  図１Ａは、本発明の実施形態による、情報記憶媒体としてのＲＦ  ＩＤタグにコマンド信号の送信を行う非接触リーダおよびライタ（Ｒ／Ｗ）を含む固定局情報処理装置と、ＲＦ ＩＤタグにおける情報を読み出す非接触リーダおよびライタを含む移動局情報処理装置と、を示している。
【図１Ｂ】  図１Ｂは、本発明の別の実施形態による、リーダ／ライタを含む固定局情報処理装置と、リーダおよびライタ（Ｒ／Ｗ）を含む移動局情報処理装置と、を示している。
【図２】  図２Ａおよび２Ｂは、固定局情報処理装置と、無線通信エリア内の互いに離れた複数の位置に配置されたＲＦ ＩＤと、ユーザが携帯する移動局情報処理装置と、を示している。
【図３】  図３Ａおよび３Ｂは、図２Ａおよび２Ｂにおける固定局情報処理装置、ＲＦ ＩＤ、および移動局情報処理装置の間の信号の送受信のシーケンスを示している。
【図４】  図４は、無線通信エリアＡおよびＢにおいてＲＦ ＩＤタグに対して配置された固定局情報処理装置、および有線ＬＡＮを介して固定局情報処理装置に結合された管理サーバを示している。
【図５】  図５は、図４における複数の固定局情報処理装置、ＲＦ ＩＤおよび移動局情報処理装置の間の信号の送受信のシーケンスを示している。
【図６】  図６は、図２Ｂの変形実施形態を示しており、固定局情報処理装置と、エリア内の互いに離れた複数の位置に配置されたＲＦ ＩＤと、ユーザが携帯する移動局情報処理装置と、を示している。
【図７】  図７は、図６における固定局情報処理装置、ＲＦ ＩＤタグ、および移動局情報処理装置の間の信号の送受信のシーケンスを示している。
【図１Ａ】
0004519142.tif 000002
【図１Ｂ】
0004519142.tif 000003
【図２】
0004519142.tif 000004
【図３】
0004519142.tif 000005
【図４】
0004519142.tif 000006
【図５】
0004519142.tif 000007
【図６】
0004519142.tif 000008
【図７】
0004519142.tif 000009